(57)【要約】【課題】遊戯装置の遊戯空間を覆うカバー体の成形精度が低い場合であっても、当該カバー体に設けられた開口部に取り付けることのできる、一定形状の蓋機構を実現する。【解決手段】蓋機構は、遊戯装置の遊戯空間を外部と仕切るためのカバー体の壁面に形成された開口部に設けられる。この蓋機構は、開口部を閉塞する蓋体２１０と、蓋体２１０を保持する枠体２３０とを備える。枠体２３０は、開口部の縁部に沿ってカバー体の外部に設けられ、蓋体２１０を保持する外部枠体２３２と、開口部の縁部に沿ってカバー体の内部に設けられる内部枠体２３４とを備え、外部枠体２３２と内部枠体２３４との間でカバー体の壁面に形成された開口部の縁部付近を挟持する。【選択図】      図５
2004236990.tif 000002
【特許請求の範囲】
【請求項１】
遊戯装置の遊戯空間を外部と仕切るためのドーム状のカバー体の壁面に形成された開口部に設けられる蓋機構であって、
前記開口部を閉塞する蓋体と、
前記蓋体を保持する枠体とを備え、
前記枠体は、
前記開口部の縁部に沿って前記遊戯空間の外部に設けられ、前記蓋体を保持する外部枠体と、
前記開口部の縁部に沿って前記遊戯空間の内部に設けられ、前記開口部の縁部付近を前記外部枠体とで挟持する内部枠体と、
を有することを特徴とする蓋機構。
【請求項２】
請求項１に記載の蓋機構において、
前記内部枠体の内周部分と前記外部枠体の内周部分とが前記開口部を通じて互いに当接・結合可能に構成され、当該結合時における枠体内部に、前記開口部の縁部を収容可能な空間が形成されるように構成されていることを特徴とする蓋機構。
【請求項３】
請求項２に記載の蓋機構において、
前記内部枠体及び外部枠体の少なくとも何れか一方は、前記結合時に枠体内部に形成される空間に突出するように配設され、前記結合時に前記カバー体に当接する弾性部材を有することを特徴とする蓋機構。
【請求項４】
請求項１〜３の何れか一項に記載の蓋機構において、
前記内部枠体は前記開口部の縁部に沿って当該縁部を部分的に覆う複数体で形成されて成ることを特徴とする蓋機構。
【請求項５】
請求項１〜４の何れか一項に記載の蓋機構を有するカバー体を備え、このカバー体により遊戯空間が覆われていることを特徴とする遊戯装置。
【請求項６】
請求項５に記載の遊戯装置において、
前記開口部は、前記カバー体の頭頂部分に形成され、
前記開口部の下方遊戯空間に景品を補充する補充装置を設けることを特徴とする遊戯装置。
【発明の詳細な説明】
【０００１】
【発明の属する技術分野】
本発明は、遊戯装置及び当該遊戯装置に具備される蓋機構に関する。
【０００２】
【従来の技術】
例えば、プッシャー型と称される遊戯装置は、回転するターンテーブル上に配置された景品を掬い上げるショベルと、固定テーブルと、固定テーブル上を景品払出口に近づき或いは遠ざかるように移動するスライドテーブルとを備え、これらが配置された遊戯空間が、透明樹脂等でドーム形状に形成されたカバー体で覆われている。プレーヤが始動指示を入力するとショベルで景品を掬い上げ、落下指示を入力すると固定テーブルの上に落下させる。固定テーブル側に落下した景品は、スライドテーブルに押される。景品がスライドテーブルに上手く押されて固定テーブルから落下し景品払出口に入れば、プレーヤはその景品を獲得できる構成となっている（例えば、特許文献１参照；全請求項に対応）。
【０００３】
また、この種の遊戯装置として、プレーヤが遊戯するためのステーションを複数備えることにより、複数のプレーヤが同時に遊べるように構成されているものが知られている。
【０００４】
従来こうした遊戯装置への景品の補充は、装置の管理者（サービスの提供者）が景品の減り具合を見て適宜実施するか景品の補充装置を備えて対処している。例えば、メダルゲーム機用の補充装置としては、傾斜版を備えた昇降機で補充用のメダルを所定のプレート位置まで押し上げ、傾斜によってメダルをスライドさせて補充するものがある（例えば、特許文献２参照；全請求項に対応）。
【０００５】
【特許文献１】
実公平３−４５７５１号公報
【特許文献２】
登録実用新案第３０１３９３２号公報（第２６頁−第２７頁、第９図）
【０００６】
【発明が解決しようとする課題】
ところで、プレーヤが遊戯するためのステーションを複数備えた遊戯装置に景品の補充装置を備える際、プレーヤの遊戯を邪魔することなく管理者が補充装置に景品を収容するためには、その上部からの景品の収容が可能な補充装置を遊戯空間の中央に設けることが現実的である。この場合には、遊戯空間を覆うカバー体の補充装置上方となる位置に開口部を設ける必要がある。また、この際、景品の盗難や遊戯空間内への異物の侵入等を防止するため、開口部に固定された開閉自在な蓋を取り付ける必要がある。
【０００７】
しかしながら、カバー体の開口部に直接蓋を取り付ける場合、その強度によってはカバー体を破損してしまう可能性があった。また、例えば、フリーブロー成形といったカバー体の成形方法によっては、カバー体の曲面の曲率や厚さ等の成形精度が低い場合がある。この場合、カバー体に設ける開口部の形状、厚さ等が一定とならないため、ある程度の遊び（余裕）を持った蓋機構とする必要がある。すなわち、量産に適うためにはカバー体と蓋とを別個に量産し、カバー体に蓋を組み付ける必要があるからである。
【０００８】
本発明は、上記した従来の事情に鑑みて為されたものであり、遊戯装置の遊戯空間を覆うカバー体の成形精度が低い場合であっても、当該カバー体に設けられた開口部に取り付けることのできる、一定形状の蓋機構を実現することを目的とする。
【０００９】
【課題を解決するための手段】
以上の課題を解決するため、請求項１に記載の発明は、
遊戯装置の遊戯空間を外部と仕切るためのドーム状のカバー体の壁面に形成された開口部に設けられる蓋機構（例えば、図２に示す蓋機構２００）であって、
前記開口部を閉塞する蓋体（例えば、図２に示す蓋体２１０）と、
前記蓋体を保持する枠体（例えば、図２に示す枠体２３０）とを備え、
前記枠体は、
前記開口部の縁部に沿って前記遊戯空間の外部に設けられ、前記蓋体を保持する外部枠体（例えば、図２に示す外部枠体２３２）と、
前記開口部の縁部に沿って前記遊戯空間の内部に設けられ、前記開口部の縁部付近を前記外部枠体とで挟持する内部枠体（例えば、図３に示す内部枠体２３４）と、
を有することを特徴としている。
【００１０】
この請求項１に記載の発明によれば、枠体を構成する外部枠体と内部枠体との間でドーム状のカバー体に形成された開口部の縁部付近を挟持するので、カバー体の成形精度が低い場合であっても、カバー体の壁面に形成された開口部に枠体を取り付けることができる。また、この外部枠体と内部枠体とを有する枠体が保持する蓋体により、開口部を閉塞することができる。
【００１１】
請求項２に記載の発明は、請求項１に記載の蓋機構において、
前記内部枠体の内周部分と前記外部枠体の内周部分とが前記開口部を通じて互いに当接・結合可能に構成され、当該結合時における枠体内部に、前記開口部の縁部を収容可能な空間が形成されるように構成されていることを特徴としている。
【００１２】
この請求項２に記載の発明によれば、内部枠体の内周部分と外部枠体の内周部分とが開口部を通じて互いに当接・結合することができる。また、外部枠体と内部枠体とを当接・結合した際に枠体内部に形成される空間により、カバー体開口部の縁部付近の形状個体差を許容することができる。
【００１３】
請求項３に記載の発明は、請求項２に記載の蓋機構において、
前記内部枠体及び外部枠体の少なくとも何れか一方は、前記結合時に枠体内部に形成される空間に突出するように配設され、前記結合時に前記カバー体に当接する弾性部材を有することを特徴としている。
【００１４】
この請求項３に記載の発明によれば、内部枠体が、結合時にカバー体に当接する弾性部材を有する場合には、外部枠体と内部枠体とを結合した際に、カバー体の内側に当接する弾性部材と、外部枠体の外周部分とでカバー体を挟持することにより、枠体とカバー体とを固定することができ、カバー体を傷めることなく、また、カバー体に設けられた開口部の縁部付近の成形（特に厚さ方向の長さ）誤差があっても許容することができる。
また、外部枠体が、結合時にカバー体に当接する弾性部材を有する場合には、外部枠体と内部枠体とを結合した際に、カバー体の外側に当接する弾性部材と、内部枠体の外周部分とでカバー体を挟持することにより、枠体とカバー体とを固定することができ、カバー体を傷めることなく、また、カバー体に設けられた開口部の縁部付近の成形誤差があっても許容することができる。
さらに、内部枠体及び外部枠体が、結合時にカバー体に当接する弾性部材を有する場合には、外部枠体と内部枠体とを結合した際に、カバー体の内側に当接する弾性部材と、外部枠体と内部枠体とを結合した際にカバー体の外側に当接する弾性部材とでカバー体を挟持することにより、枠体とカバー体とを固定することができ、カバー体を傷めることなく、また、カバー体に設けられた開口部の縁部付近の成形誤差があっても許容することができる。
【００１５】
請求項４に記載の発明は、請求項１〜３の何れか一項に記載の蓋機構において、
前記内部枠体は前記開口部の縁部に沿って当該縁部を部分的に覆う複数体で形成されて成ることを特徴としている。
【００１６】
この請求項４に記載の発明によれば、内部枠体は、カバー体に形成された開口部の縁部を部分的に覆う複数体で形成されているので、内部枠体の内周部分と外部枠体の内周部分とを開口部を通じて結合させる際の組み立て作業を容易にすることができる。
【００１７】
請求項５に記載の遊戯装置の発明は、請求項１〜４の何れか一項に記載の蓋機構を有するカバー体（例えば、図１に示すカバー体１１０）を備え、このカバー体により遊戯空間が覆われていることを特徴としている。
【００１８】
この請求項５に記載の発明によれば、遊戯空間を覆うカバー体の壁面に形成された開口部に、請求項１〜４の何れか一項に記載の発明と同様の効果を奏する蓋機構を実現可能である。
【００１９】
請求項６に記載の発明は、請求項５に記載の遊戯装置において、
前記開口部は、前記カバー体の頭頂部分に形成され、
前記開口部の下方遊戯空間に景品を補充する補充装置を設けることを特徴としている。
【００２０】
この請求項１２に記載の発明によれば、カバー体の頭頂部分に形成された開口部に、請求項１〜９の何れか一項に記載の発明と同様の効果を奏する蓋機構を備えた遊戯装置を実現可能である。
【００２１】
【発明の実施の形態】
以下、図を参照して、本発明を適用した一実施の形態例について説明する。図１は、本発明を適用した遊戯装置１の外観図である。この遊戯装置１は、いわゆるプッシャー型ゲーム機と呼ばれる遊戯装置である。
【００２２】
遊戯装置１は、複数の景品Ｐを配置するターンテーブル１０と、ターンテーブル１０に配置された景品Ｐを掬い上げるショベル装置２０と、掬い上げた景品Ｐを載置する固定テーブル３０と、固定テーブル３０上を景品払出口８０に近づき或いは遠ざかるように往復スライド運動するスライドテーブル４０と、ショベル装置２０の操作部５０と、遊戯装置１の動作を制御する制御ユニット６０と、遊戯装置１の略中央に配置される景品補充装置７０と、電源部（図示略）とを備える。そして、透明なカバー体１１０でこれらを覆うことにより、遊戯空間ＳＰを外部から仕切り、遊戯空間ＳＰ内を保護する。
【００２３】
ターンテーブル１０は、上向きに開口する環状溝を形成し、溝部分の底上面に多数の景品Ｐを載置できるようになっている。そして、複数の景品Ｐを載せて遊戯装置１の中央に設けられた回転軸ＡＸを中心に所定平面上をゆっくりと回転する。
【００２４】
ショベル装置２０は、操作部５０からの操作入力に応じてアーム２２が回転することにより、景品Ｐを掬い上げることができる曲面を成すショベル２４でターンテーブル１０に配置された景品Ｐを掬い上げ、掬い上げた景品Ｐを固定テーブル３０上に落下させる。
【００２５】
固定テーブル３０は、ターンテーブル１０の上方において装置中央から装置外縁方向に延出する平板である。固定テーブル３０の外縁側端部は、景品払出口８０上方に達するように構成されている。
【００２６】
この固定テーブル３０上では、スライドテーブル４０が往復スライド運動している。固定テーブル３０上に落下した景品Ｐは、スライドテーブル４０の往復スライド運動によって景品払出口８０側に押し出される。そして、景品Ｐが固定テーブル３０の端まで押し出されて、景品払出口８０に落下すると、プレーヤはその景品Ｐを景品払出口８０から連通する景品取出口９０より取り出すことができる。
【００２７】
本実施の形態における遊戯装置１は、ショベル装置２０，固定テーブル３０，スライドテーブル４０，操作部５０，景品払出口８０とを一組（ステーション）として、計４箇所のプレイポジションを上面視略十字に備える。従って、本実施の形態における遊戯装置１では同時に４人のプレーヤがゲームを楽しむことができる。
【００２８】
景品補充装置７０は、特に、補充用景品Ｑを収容する景品収容シリンダ７２と、景品収容シリンダ７２の内部に配置され、補充用景品Ｑを移動させるためのピストン７４と、ピストン７４を景品収容シリンダ７２の開口面に近づく或いは遠ざかる方向に上下運動させるピストン駆動部（図示略）とを備える。このピストン駆動部によりピストン７４が景品収容シリンダ７２の開口面まで上昇すると、景品収容シリンダ７２内の補充用景品Ｑが排出され、ターンテーブル１０に落下するようになっている。
【００２９】
景品収容シリンダ７２は、例えばガラスや樹脂等で形成された少なくとも一端に開口面を有する円筒体であって、補充用景品Ｑを内部に収容できる空間を形成する。景品収容シリンダ７２は、遊戯装置１の中央にある台座１００に開口面を上方に向けて略鉛直に設置される。
【００３０】
制御ユニット６０は、ＣＰＵやＬＳＩ等の演算処理装置や、ＩＣメモリ６２、電気回路等を有し、遊戯装置１の動作を統括的に制御する。
【００３１】
カバー体１１０は、フリーブロー成形によってアクリル樹脂をドーム形状に成形した透明なカバーであり、内部の様子をみることができる。このカバー体１１０は、景品補充装置７０の上方に位置する頭頂部分に開口部Ｏを有し、この開口部Ｏを開閉するための蓋機構２００を備える。
【００３２】
図２は蓋機構２００の上面図、図３（ａ）は蓋機構２００の底面図、図３（ｂ）は同図（ａ）に示す蓋機構２００の底面に配設される内部枠体２３４の底面図、図４（ａ）は図２に示すＡ−Ａ´矢視断面図、図５は図２に示すＢ−Ｂ´矢視断面図をそれぞれ示す図である。
【００３３】
蓋機構２００は、カバー体１１０に形成された開口部Ｏ（図３の点線）を開口／閉塞する蓋体２１０と、カバー体１１０に装着されて蓋体２１０が着座する枠体２３０とを備える。この枠体２３０は、蓋体２１０を開閉するために回動可能に支持している。
【００３４】
枠体２３０は、開口部Ｏに装着された際に、カバー体１１０の外側に位置する外部枠体２３２と、カバー体１１０の内側（遊戯空間ＳＰ内）に位置する内部枠体２３４とを備え、これらが一体的に結合されることでカバー体１１０に形成された開口部Ｏに固定される。
【００３５】
外部枠体２３２は、カバー体１１０に形成された開口部Ｏの縁部に沿って、全周に渡りカバー体１１０の外側を覆うリング状の外壁部（外周部分）２３２ａ及び内壁部（内周部分）２３２ｄと、外壁部２３２ａの一の直径の両端となる位置にそれぞれ設けられた支持部２３２ｂ及びカギ取付部（保持部）２３２ｃとを備え、これらは一体的に形成されている。
【００３６】
支持部２３２ｂは、外壁部２３２ａの一の直径の一端部に形成され、ヒンジ２４０を介して蓋体２１０が装着される。また、カギ取付部２３２ｃは、外壁部２３２ａの一の直径の他端部に形成されている。図３中に点線で示すように、カバー体１１０に形成される開口部Ｏは、カギ取付部２３２ｃが形成される一の直径の他端部に対応する位置に切欠部を有する略円形状に形成されており、この切欠部にカギ取付部２３２ｃが嵌合するようになっている。
【００３７】
内壁部２３２ｄは、外壁部２３２ａの円周に沿って設けられ、支持部２３２ｂとカギ取付部２３２ｃとにより２つの領域に分断されている。さらに、内壁部２３２ｄには、図５に示すように、外壁部２３２ａとの境界に、蓋体２１０が着座する段部２３２ｅが形成されている。
【００３８】
内部枠体２３４は、図３に示すように、円弧状の２枚の略板状体で構成され、上記したように２つに分断された外部枠体２３２の内壁部２３２ｄに、開口部Ｏを通じてそれぞれねじ止めによって結合される。内部枠体２３４は、外部枠体２３２の外壁部２３２ａ及び内壁部２３２ｄにより形成される下向きに開口する環状の溝を覆う。
【００３９】
図５に示すように、外部枠体２３２と内部枠体２３４とが互いに当接・結合した際に、枠体２３０の内部に空間ＩＮＳが形成されるとともに、外部枠体２３２の外壁部２３２ａの下端部と、内部枠体２３４の備える外壁部２３４ａの上端部との間に隙間が生じるように構成され、この隙間からカバー体１１０の開口部Ｏの縁部付近を挟持するようになっている。さらに、内部枠体２３４は、ゴム等の弾性部材で形成される突起部材（第１当接部）２３４ｆを備え、この突起部材２３４ｆは、開口部Ｏの縁部付近においてカバー体１１０の内側に当接する位置に配設されている。
【００４０】
カバー体１１０はフリーブロー成形によるドーム形状を有し、外部枠体２３２と内部枠体２３４とを結合する際に、カバー体１１０を、外部枠体２３２の外壁部２３２ａの下端部と、外部枠体２３２の内部に形成される空間ＩＮＳと、内部枠体２３４の突起部材２３４ｆとにより、カバー体１１０を傷めることなく挟持する。
【００４１】
また、枠体２３０の内部に空間ＩＮＳが形成されるとともに、突起部材２３４ｆが弾性部材で形成されるので、カバー体１１０に形成された開口部Ｏの縁部付近の曲面の曲率や、厚さ等の成形誤差を許容して、カバー体１１０に蓋機構２００を固定することができる。さらに、カバー体１１０の内側であって、開口部Ｏの縁部付近に当接する突起部材２３４ｆによりカバー体１１０を固定しているので、突起部材２３４ｆが開口部Ｏの縁部付近に当接可能な範囲内で、開口部Ｏの直径の誤差を許容できる。同様に、突起部材２３４ｆが開口部Ｏの縁部付近に当接可能な範囲内で、カバー体１１０の厚さの誤差を許容できる。
【００４２】
また、カバー体１１０は、ドーム形状を有するため、内部枠体２３４は、円弧状の２枚の略板状体で構成することにより、内部枠体２３４と外部枠体２３２とを開口部を通じて結合させる際の組み立て作業を容易にすることができる。
【００４３】
さらに、略円形状に形成された開口部Ｏの有する切欠部とカギ取付部２３２ｃとを嵌合することによりカバー体１１０に形成された開口部Ｏに蓋機構２００を取り付けるので、特に、開口部Ｏに枠体２３０を取り付けた際のカバー体１１０の面方向での回転を固定することができる。
【００４４】
これにより、管理者は、この蓋機構２００の備える蓋体２１０を開けてできる開口から景品補充装置７０に補充用景品Ｑを補充することができるとともに、開口部Ｏからの異物の侵入や、補充用景品Ｑの盗難を防止することが可能である。
【００４５】
尚、上記した実施の形態においては、内部枠体２３４に、カバー体１１０に形成された開口部Ｏの縁部付近であって、当該カバー体１１０の内側に当接するように突起部材２３４ｆを配設し、この突起部材２３４ｆと、外部枠体２３２の外壁部２３２ａの下端部とで、開口部Ｏの縁部付近を挟持する場合について説明したが、外部枠体２３２に、開口部Ｏの縁部付近であって、当該カバー体１１０の外側に当接するように突起部材（第２当接部）を配設し、この突起部材と、内部枠体２３４の外壁部２３４ａの上端部とで、開口部Ｏの縁部付近を挟持することとしてもよい。この場合、上記した実施の形態と同様に、カバー体１１０の曲面の曲率や厚さ等の成形精度を許容でき、カバー体１１０と枠体２３０とを固定することが可能である。
【００４６】
また、内部枠体２３４に、カバー体１１０に形成される開口部Ｏの縁部付近であって、カバー体１１０の内側に当接するように突起部材２３４ｆを配設するとともに、外部枠体２３２に、開口部Ｏの縁部付近であって、カバー体１１０の外側に当接するように突起部材を配設することにより、各突起部材で、カバー体１１０に形成された開口部Ｏの縁部付近を挟持することとしてもよい。
【００４７】
また、上記した実施の形態においては、景品を獲得する遊戯装置に適用した場合を例にとって説明したが、固定テーブル上を往復移動するスライドテーブルにより押し出されるメダルが払い出される、いわゆるプッシャー型のメダルゲームに適用することも可能である。
【００４８】
【発明の効果】
以上説明したように、本発明を適用した蓋機構によれば、枠体を構成する外部枠体と内部枠体との間で、遊戯装置の遊戯空間を外部と仕切るためのドーム状のカバー体に形成された開口部の縁部付近を挟持するので、カバー体の成形精度が低い場合であっても、カバー体の壁面に形成された開口部に枠体を取り付けることができる。また、この外部枠体と内部枠体とを有する枠体が保持する蓋体により、開口部を閉塞することができる。
【図面の簡単な説明】
【図１】本発明を適用した遊戯装置の外観図。
【図２】蓋機構の上面図。
【図３】蓋機構の底面図。
【図４】図２に示すＡ−Ａ´矢視断面図。
【図５】図２に示すＢ−Ｂ´矢視断面図。
【符号の説明】
１                遊戯装置
１０            ターンテーブル
２０            ショベル装置
２２          アーム
２４          ショベル
３０            固定テーブル
４０            スライドテーブル
５０            操作部
６０            制御ユニット
６２          ＩＣメモリ
７０            景品補充装置
７２          景品収容シリンダ
７４          ピストン
８０            景品払出口
９０            景品取出口
１００          台座
１１０          カバー体
Ｏ            開口部
２００          蓋機構
２１０        蓋体
２３０        枠体
２３２      外部枠体
２３２ａ  外壁部
２３２ｂ  支持部
２３２ｃ  カギ取付部
２３２ｄ  内壁部
２３２ｅ  段部
２３４      内部枠体
２３４ｆ  突起部材
２４０        ヒンジ
Ｐ                景品
Ｑ                補充用景品
【図１】
2004236990.tif 000003
【図２】
2004236990.tif 000004
【図３】
2004236990.tif 000005
【図４】
2004236990.tif 000006
【図５】
2004236990.tif 000007